(57)【要約】【課題】複数のスピーカーシステムが接続可能であり、番組内容に応じて個々の音声増幅部の制御を行うことが可能なデジタル放送受信装置を提供する。【解決手段】受信したデジタル放送信号を復調し、映像データ、音声データ及び番組情報として出力するデジタル放送受信手段と、映像データ及び音声データをデコードし、映像信号及び音声信号として出力するデコード手段と、番組情報に基づいて、音声信号を制御する第１のコントロール信号及び第２のコントロール信号を生成する番組情報解析手段と、第１のコントロール信号に基づいて、音声信号の音質をスピーカーシステム毎に調整する音質制御手段と、第２のコントロール信号に基づいて、音声調整手段が調整した音声信号を一定電圧まで増幅させるとともに、スピーカーシステムをドライブするために必要なエネルギーを供給する音声増幅手段と、を具備する。【選択図】図１
2008306348.tif 000002
【特許請求の範囲】
【請求項１】
複数のスピーカーシステムを接続可能なデジタル放送受信装置であって、
受信したデジタル放送信号を復調し、映像データ、音声データ及び番組情報として出力するデジタル放送受信手段と、
前記映像データ及び前記音声データをデコードし、映像信号及び音声信号として出力するデコード手段と、
前記番組情報に基づいて、前記音声信号を制御する第１のコントロール信号及び第２のコントロール信号を生成する番組情報解析手段と、
前記第１のコントロール信号に基づいて、前記音声信号の音質を前記スピーカーシステム毎に調整する音質制御手段と、
前記第２のコントロール信号に基づいて、前記音声調整手段が調整した前記音声信号を一定電圧まで増幅させるとともに、前記スピーカーシステムをドライブするために必要なエネルギーを供給する音声増幅手段と、を具備することを特徴とするデジタル放送受信装置。
【請求項２】
前記音声増幅手段は、前記第２のコントロール信号に基づいて、複数の前記スピーカーシステムから駆動させる前記スピーカーシステムを選択することを特徴とする請求項１記載のデジタル放送受信装置。
【発明の詳細な説明】
【技術分野】
【０００１】
本発明は、視聴中の番組の種類に応じて映像や音声の自動調節を行うデジタル放送受信装置に関する。
【背景技術】
【０００２】
近年、薄型テレビや地上／ＢＳデジタル放送などの普及により、高画質・高音質の映像ソースを家庭で楽しむホームシアターシステムが一般ユーザーへ大きな広がりを見せている。このような中で、オーディオ機器としてコンパクトなシステムから、リアルな５．１ｃｈサラウンドが楽しめるフルシステムまで幅広いシステムが一般家庭に普及しつつあり、複数のスピーカーセットを有するユーザーも珍しくない。
【０００３】
一方で、近年の映像音響機器は高機能化に伴い設定や調整が煩雑になりつつあるという問題がある。デジタル放送受信装置やＡＶアンプは、一般的にユーザーの好みに応じて画質や音質を調整できる機能を備えておりコンテンツ内容に応じてユーザーが設定することができるが、操作方法が煩雑で使用しない、使い方が分からないといった理由で初期設定から変更せずに使用されるケースがある。
【０００４】
そこでデジタル放送に多重して送られる番組情報を用いて、音質の自動制御を行うデジタル放送受信装置が知られている（例えば、特許文献１参照）。特許文献１記載のデジタル放送受信装置は、受信した放送データを蓄積し、蓄積した放送データに含まれる音声データと番組情報を取得して現在視聴中の番組の種別を判別し、判別した番組の種別に応じた音質設定を自動的に行う。これにより、デジタル放送の音質に対して、ユーザーの手を煩わせることなく、コンテンツの種別に応じた音質調節を行うことができる。
【特許文献１】特開２００６−１０１３９１号公報
【発明の開示】
【発明が解決しようとする課題】
【０００５】
ところで、多くのユーザーは、サラウンドの環境で放送を視聴する際には、デジタル放送受信装置の出力をＡＶアンプ等に接続し、ＡＶアンプのボリュームを調整してスピーカーの音量調整を行っている。しかしながら上記従来のデジタル放送受信装置では、番組情報をもとに音質や音場を設定することはできるが、スピーカーを駆動するアンプ（音声増幅部）を、番組情報に基づいて自動制御することはできないという問題があった。
【０００６】
本発明は上記事情に鑑み、番組内容に応じて音質や音場の自動設定だけでなく、放送時間や番組の内容に応じてサブウーファーやサラウンドスピーカー等の個々の音声増幅部のボリュームコントロール、電源オン／オフなどの制御を行い、ユーザーの操作負担を軽減することが可能なデジタル放送受信装置を提供することを目的とする。
【０００７】
また、特徴の異なる２セット以上のスピーカーセットを有する場合において、番組情報を用いてスピーカーを自動的に選択し、放送視聴の時間等に応じて、特徴の異なる２セット以上のスピーカーを使い分けることが可能なデジタル放送受信装置を提供することを目的とする。
【課題を解決するための手段】
【０００８】
本発明の請求項１に係るデジタル放送受信装置は、複数のスピーカーシステムを接続可能なデジタル放送受信装置であって、受信したデジタル放送信号を復調し、映像データ、音声データ及び番組情報として出力するデジタル放送受信手段と、映像データ及び音声データをデコードし、映像信号及び音声信号として出力するデコード手段と、番組情報に基づいて、音声信号を制御する第１のコントロール信号及び第２のコントロール信号を生成する番組情報解析手段と、第１のコントロール信号に基づいて、音声信号の音質をスピーカーシステム毎に調整する音質制御手段と、第２のコントロール信号に基づいて、音声調整手段が調整した音声信号を一定電圧まで増幅させるとともに、スピーカーシステムをドライブするために必要なエネルギーを供給する音声増幅手段と、を具備することを特徴とする。
【０００９】
また本発明の請求項２に係るデジタル放送受信装置は、請求項１の構成において、音声増幅手段は、第２のコントロール信号に基づいて、複数のスピーカーシステムから駆動させるスピーカーシステムを選択することを特徴とする。
【発明の効果】
【００１０】
本発明のデジタル放送受信装置によれば、サラウンドシステム環境において、番組内容に応じて音質、音場の自動設定を行うと同時に、放送時間に応じてサブウーファーやサラウンドスピーカーなどの個々の音質増幅部を制御することによって音量調整や電源オン／オフを行うことができる。これにより例えば深夜の時間帯にホームシアターで大音量での視聴を行うことが難しい環境を持つユーザーにとって、番組内容や時間帯に応じた音量調整を自動的に行うことができる。
【００１１】
また、特徴の異なる２セット以上のスピーカーシステムを有する環境において、番組情報を用いてスピーカーセットを自動的に選択することができる。これにより、番組内容や時間帯に応じて好みのスピーカーを使用することが出来る。例えば深夜に放送されるニュースの視聴時は、ベッドの側に備えたコンパクトサイズのスピーカーシステムを使用し、映画の場合は、リビングに備えた５．１ｃｈサラウンドの大型スピーカーシステムを使用するといった視聴環境が可能になる。
【発明を実施するための最良の形態】
【００１２】
（実施の形態１）
図１は、本発明の実施の形態１に係るデジタル放送受信装置の構成を示すブロック図である。デジタル放送受信装置は、チューナー部１０１、トランスポートデコーダ部１０２、番組情報取得部１０３、ＡＶデコーダ部１０４、番組情報解析部１０５、画質制御部１０６、映像出力部１０７、音質制御部１０８、音声増幅部１０９で構成される。
【００１３】
アンテナで受信されたデジタル放送信号ＩＦは、チューナー部１０１で復調されてトランスポートストリームＴＳとして出力される。トランスポートデコーダ部１０２は、チューナー部１０１の出力したＴＳを受けて、ＴＳに含まれるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）によりＴＳパケットの解析を行い、ＴＳの多重化されたデータから、目的の番組の映像、音声の各ＥＳ（Ｅｌｅｍｅｎｔａｒｙ  Ｓｔｒｅａｍ）を分離し、映像ＰＥＳ（Ｐａｃｋｅｔｉｚｅｄ  Ｅｌｅｍｅｎｔａｒｙ  Ｓｔｒｅａｍ）、音声ＰＥＳとして、ＶＰとＡＰを出力する。
【００１４】
番組情報取得部１０３は、ＴＳに含まれるＰＳＩ／ＳＩ情報を抽出する。ＰＳＩ／ＳＩ情報に含まれるＥＩＴ（Ｅｖｅｎｔ  Ｉｎｆｏｒｍａｔｉｏｎ  Ｔａｂｌｅ）には放送番組の名称、ジャンル、放送日、放送内容、放送開始時間、放送継続時間などの情報が含まれる。ＡＶデコーダ部１０４は、圧縮された映像符号化信号ＶＰと音声符号化信号ＡＰの復号を行う。映像符号化信号ＶＰはＡＶデコーダ部１０４で復号されて、映像信号ＶＯ１として出力される。音声符号化信号ＡＰは、ＡＶデコーダ部１０４においてステレオ音声信号、または５．１ｃｈ、７．１ｃｈ（ＤｏｌｂｙＡＣ−３）のマルチチャンネルの音声信号へ復号されて、アナログ音声信号ＡＯ１として出力される。
【００１５】
番組情報解析部１０５は、番組情報取得部１０３で取得したＰＳＩ／ＳＩ情報に基づき映像信号を制御するコントロール信号ＶＣ１、ＶＣ２、および音声信号を制御するコントロール信号ＡＣ１、ＡＣ２の生成・出力を行う。画質制御部１０６は、ＡＶデコーダ部１０４の出力映像ＶＯ１を受けて、映像の輪郭補正やノイズ成分の除去などの画質補正と共に、映像の輝度やコントラスト、彩度、色調、シャープネス等の画質調整を行い、映像信号ＶＯ２を出力する。画質制御部１０６では、番組情報解析部１０５の出力する映像コントロール信号ＶＣ１を受けて、視聴番組に応じた画質調整を行う。例えば、視聴する放送の番組ジャンル情報に応じて映像のコントラストや彩度の自動調整を行う。
【００１６】
映像出力部１０７は、画質制御部１０６の出力する映像信号ＶＯ２と、映像制御信号ＶＣ２を受けて、接続されたモニタの解像度へ変換し、映像信号ＶＯ３を出力する。映像出力部１０７では、ユーザーが視聴する放送の番組ジャンル情報や放送時間に応じて表示する領域や、映像の出力のオン・オフを行う。
【００１７】
音質制御部１０８は、ＡＶデコーダ部１０４の出力音声信号ＡＯ１を受けて周波数補正による音質調整やサラウンド音声出力における音場の調整を行い、音声増幅部１０９へ音声信号を出力する。音質制御部１０８では、番組のジャンルに応じて音声の音質、音場の制御を行う。例えば音楽番組や映画番組においては音声の高音域、低音域の強調を行うことで、臨場感のある音声を提供する。
【００１８】
図２は、本発明の実施の形態１に係るデジタル放送受信装置の音声増幅部１０９の詳細を示す図である。ここで、本実施の形態１では、３つのスピーカーセットを接続可能なデジタル放送受信装置を示したものである。１セット目のスピーカーセットＡは５．１ｃｈサラウンドのシステムであり、５本までのスピーカーの接続を可能とする。２セット目のスピーカーセットＢは、ステレオのシステムであり、２本までのスピーカーセットの接続を可能とする。３つ目のスピーカーセットＣもステレオのシステムであるがヘッドホンでの使用を想定し、１つのヘッドホン接続を可能とする。
【００１９】
音質制御部１０８は、ＡＶデコーダ部１０４の出力音声信号ＡＯ１と、番組情報解析部１０５の出力する音声制御信号ＡＣ１を受けて、これら３セットのスピーカーセットへの音声信号を独立に調整する。
【００２０】
音質制御部１０８の出力信号は、１つ目のスピーカーセットへの出力として６本の音声信号（ＡＯ１＿Ｃ、ＡＯ１＿Ｌ、ＡＯ１＿Ｒ、ＡＯ１＿Ｌｓ、ＡＯ１＿Ｒｓ、ＡＯ１＿ＳＷ）と、２つ目のスピーカーセットへの出力として２本の音声信号（ＡＯ２＿Ｌ、ＡＯ２＿Ｒ）と、３つ目のスピーカーセットへの出力として２本の音声信号（ＡＯ３＿Ｌ、ＡＯ３＿Ｒ）の計１０本の音声信号が存在する。
【００２１】
音声増幅部１０９は、音質制御部１０８の出力する音声信号と、番組情報解析部１０５の出力する音声制御信号ＡＣ２を受けて、それぞれ一定の電圧まで信号の増幅を行い、接続されたスピーカーをドライブするために必要なエネルギーを供給する。
【００２２】
音声増幅部１０９の出力信号は、音質制御部１０８からの出力信号と同等の信号構成であり、１つ目のスピーカーセットへの出力として６本の音声信号（Ａ１＿Ｃ、Ａ１＿Ｌ、Ａ１＿Ｒ、Ａ１＿Ｌｓ、Ａ１＿Ｒｓ、Ａ１＿ＳＷ）と、２つ目のスピーカーセットへの出力として２本の音声信号（Ａ２＿Ｌ、Ａ２＿Ｒ）と、３つ目のスピーカーセットへの出力として２本の音声信号（Ａ３＿Ｌ、Ａ３＿Ｒ）の計１０本の音声信号が存在する。
【００２３】
音声増幅部１０９の出力する６本のスピーカー音声信号、Ａ１＿Ｃ、Ａ１＿Ｌ、Ａ１＿Ｒ、Ａ１＿Ｌｓ、Ａ１＿Ｒｓ、Ａ１＿ＳＷは、ＢＳ／地上デジタル放送のＭＰＥＧ２−ＡＡＣ方式で採用されている５．１ｃｈのサラウンド放送に対応したものであり、それぞれセンタースピーカー、フロント・レフトスピーカー、フロント・ライトスピーカー、リア・レフトスピーカー、リア・ライトスピーカー、サブウーファーの音声信号に対応する。
【００２４】
音声増幅部１０９の出力する２本のスピーカー音声信号、Ａ２＿Ｌ、Ａ２＿Ｒは、通常のステレオ放送に対応したものであり、レフトスピーカー、ライトスピーカーへの接続に対応する。
【００２５】
音声増幅部１０９の出力するＡ３＿Ｌ、Ａ３＿Ｒについてもステレオ放送に対応したものであり、ヘッドホン接続に対応する。
【００２６】
続いて、本発明の実施の形態１における動作を説明する。本発明の実施形態１におけるトランスポートストリームから映像／音声信号を復号するまでの一連の処理、および放送で多重されるトランスポートデコーダから、ＰＳＩ／ＳＩ情報を抽出する技術は一般的に知られている技術であるため動作説明は省略する。
【００２７】
番組情報解析部１０５は、ＳＩに含まれる番組情報（番組のジャンル、放送開始時間、放送継続時間等）を解析／判断し、周波数補正による音質調整を行うための音声制御信号ＡＣ１を音質制御部１０８へ出力する。
【００２８】
また同時に番組情報解析部１０５は、音量や電源のオン／オフを制御する音声制御信号ＡＣ２を音声増幅部１１０〜１１９へ出力する。この音声制御信号ＡＣ２は、システムへ接続する最大３つのスピーカーセットの駆動スピーカーを選択する機能を備え、本実施例では、初期設定として５．１ｃｈで動作するスピーカーセットＡのみを駆動する。
【００２９】
図３、図４は、本発明の実施の形態１における番組情報解析部１０５の動作を具体的に示したフローチャートである。
【００３０】
図３は、ユーザーがデジタル放送を視聴する際に、視聴時間が深夜（本例では２３：００以降）の時間帯において、番組情報を用いてサブウーファー用の音声増幅器１１５をオフにする動作を示したものである。以下、図３を用いて番組情報解析部１０５の動作について説明する。番組情報解析部１０５は、ＰＳＩ／ＳＩ情報の中からユーザーが視聴する番組の開始時間、および番組ジャンルの情報を抽出／解析する（Ｓ３０１）。つづいて、ユーザーが視聴する番組の開始時間が２３：００よりも前か後かを判断する（Ｓ３０２）。もし視聴番組の開始時間が２３：００よりも前であった場合は（Ｓ３０２で「ＮＯ」）、引き続き視聴番組のジャンルが映画であるかどうかを判断する（Ｓ３０３）。
【００３１】
番組情報解析部１０５は、これら２回の判定によって、視聴番組の開始時間が２３：００以降で（Ｓ３０２で「ＹＥＳ」）、かつ番組のジャンルが映画であった場合（Ｓ３０３で「ＹＥＳ」）、５．１ｃｈのスピーカーシステムのサブウーファーをオフにする音声制御信号ＡＣ２を出力する。サブウーファー用の音声増幅部１１５は、この音声制御信号ＡＣ２を受けて音声増幅回路（図示せず）の電源をオフにする（Ｓ３０４）。
【００３２】
図４は、ユーザーがデジタル放送を視聴する際に、視聴時間が深夜（本例では２３：００以降）の時間帯に、番組情報から得られる開始時間情報を用いて、駆動するスピーカーを変更する動作を示したものである。以下、図４を用いて番組情報解析部１０５の動作について説明する。番組情報解析部１０５は、番組情報ＳＩの中からユーザーが視聴する番組の開始時間、を抽出／解析する（Ｓ４０１）。つづいて、ユーザーが視聴する番組の開始時間が２３：００よりも前か後かを判断する（Ｓ４０２）。もし視聴番組の開始時間が２３：００よりも後であった場合は（Ｓ４０２で「ＹＥＳ」）、駆動するスピーカーを、スピーカーセットＡからスピーカーセットＢへと変更する音声制御信号ＡＣ２を出力する（Ｓ４０３）。番組情報解析部１０５は、音声増幅部１１０〜１１５の電源をオフにして、音声増幅部１１６、１１７の電源をオンにする音声制御信号ＡＣ２を出力する。
【００３３】
音声増幅部１１０〜１１５は、音声制御信号ＡＣ２を受けて電源をオフにすると同時に、音声増幅部１１６、１１７は、音声制御信号ＡＣ２を受けて電源をオンにする。
【００３４】
本発明により、５．１ｃｈ以上のマルチチャンネルの音響システムの場合、番組内容に応じて音質や音場の自動設定を行うと同時に、放送時間に応じてサブウーファーやサラウンドスピーカー等の個々の音声増幅回路の電源オン／オフやボリュームコントロールの制御が可能となる。
【００３５】
また、特徴の異なる２セット以上のスピーカーセットを所有するユーザーの場合、番組情報を用いてスピーカーを自動的にセレクトすることが可能となる。
【産業上の利用可能性】
【００３６】
本発明にかかるデジタル放送受信装置は、番組内容に応じて音質や音場の自動設定を行うと同時に、放送時間に応じてサブウーファーやサラウンドスピーカー等の個々の音声増幅回路の電源オン／オフやボリュームコントロールの制御が可能であり、特徴の異なる２セット以上のスピーカーセットを所有するユーザーの場合、番組情報を用いてスピーカーを自動的にセレクトすることが可能となるため、番組情報を有し、かつ複数のスピーカーシステムを接続可能な機器において有用である。
【図面の簡単な説明】
【００３７】
【図１】本発明の実施の形態１に係るデジタル放送受信装置の構成を示すブロック図
【図２】同実施の形態１に係るデジタル放送受信装置の音声増幅部の詳細を示す図
【図３】同実施の形態１に係るデジタル放送受信装置の番組情報解析部の動作の一例を示すフローチャート
【図４】同実施の形態１に係るデジタル放送受信装置の番組情報解析部の動作の一例を示すフローチャート
【符号の説明】
【００３８】
１０１    チューナー部
１０２    トランスポートデコーダ部
１０３    番組情報取得部
１０４    ＡＶデコーダ部
１０５    番組情報解析部
１０６    画質制御部
１０７    映像出力部
１０８    音質制御部
１０９    音声増幅部
【図１】
2008306348.tif 000003
【図２】
2008306348.tif 000004
【図３】
2008306348.tif 000005
【図４】
2008306348.tif 000006